(57)【要約】      （修正有）【課題】車両用空気調和装置において、暖房時に開放される暖房用の開閉弁を開放する際に生じる騒音を適切に解消、低減する。【解決手段】車室内の暖房時に開放される開閉弁２１を備え、運転モードを暖房モードに切り換える際、開閉弁２１前後の圧力差ΔＰｘｓを縮小する圧力差縮小制御を実行し、圧力差ΔＰｘｓが所定値より低くなったことに基づく第１の許可条件の成立で開閉弁を開く運転モードへの切換を許可する。第１の許可条件が成立していなくとも、外気温度が所定値より低いことに基づく第２の許可条件が成立で開閉弁２１を開く運転モードへの切換を許可する。【選択図】図１
2018095099.tif 000002
【特許請求の範囲】
【請求項１】
冷媒を圧縮する圧縮機と、
車室内に供給する空気が流通する空気流通路と、
冷媒を放熱させて前記空気流通路から前記車室内に供給する空気を加熱するための放熱器と、
冷媒を吸熱させて前記空気流通路から前記車室内に供給する空気を冷却するための吸熱器と、
車室外に設けられて冷媒を放熱又は吸熱させるための室外熱交換器と、
制御装置とを備え、
該制御装置により、複数の運転モードを切り換えて実行する車両用空気調和装置において、
前記室外熱交換器の冷媒出口側に接続され、前記車室内の暖房時に開放される暖房用の開閉弁を備え、
前記制御装置は、前記開閉弁を閉じる前記運転モードから前記開閉弁を開く前記運転モードに切り換える際、当該開閉弁前後の圧力差ΔＰｘｓを縮小する所定の圧力差縮小制御を実行し、
当該圧力差ΔＰｘｓが所定値より低くなったことに基づく第１の許可条件が成立した場合、前記開閉弁を開く運転モードへの切り換えを許可すると共に、
前記第１の許可条件が成立していない場合にも、外気温度が所定値より低いことに基づく第２の許可条件が成立したとき、前記開閉弁を開く運転モードへの切り換えを許可することを特徴とする車両用空気調和装置。
【請求項２】
前記第１の許可条件は、前記開閉弁前後の圧力差ΔＰｘｓが所定値より低くなり、その状態が第１の所定時間継続したことであり、
前記第２の許可条件は、前記圧力差縮小制御を開始してから前記第１の所定時間より長い第２の所定時間、外気温度が所定値より低い状態が継続したことであることを特徴とする請求項１に記載の車両用空気調和装置。
【請求項３】
前記制御装置は、前記開閉弁の冷媒出口側における複数の箇所の圧力、及び、外気温度から換算される前記開閉弁の冷媒出口側の圧力のうち、最も低い圧力に基づいて前記圧力差ΔＰｘｓを判断することを特徴とする請求項１又は請求項２に記載の車両用空気調和装置。
【請求項４】
前記制御装置は、前記圧力差縮小制御において、前記圧縮機を停止し、又は、当該圧縮機の回転数を低下させることを特徴とする請求項１乃至請求項３のうちの何れかに記載の車両用空気調和装置。
【請求項５】
前記室外熱交換器に流入する冷媒を減圧するための室外膨張弁と、
前記圧縮機の冷媒吐出側と前記室外膨張弁の冷媒出口側とを連通するバイパス配管を備え、
前記制御装置は、前記開閉弁を閉じると共に、前記室外膨張弁を全閉として前記圧縮機から吐出された冷媒を前記放熱器に流すこと無く、前記バイパス配管に流して前記室外熱交換器に直接流入させる前記運転モードを有し、該運転モードから前記開閉弁を開く運転モードに切り換える際の前記圧力差縮小制御においては、前記室外膨張弁を開くことを特徴とする請求項１乃至請求項４のうちの何れかに記載の車両用空気調和装置。
【請求項６】
前記車室内に供給する空気を前記吸熱器に通風する室内送風機を備え、
前記吸熱器の冷媒出口側は前記開閉弁の冷媒出口側に接続されており、
前記制御装置は、前記圧力差縮小制御において、前記室内送風機による通風量を増大させることを特徴とする請求項１乃至請求項５のうちの何れかに記載の車両用空気調和装置。
【発明の詳細な説明】
【技術分野】
【０００１】
本発明は、車両の車室内を空調するヒートポンプ式の空気調和装置に関するものである。
【背景技術】
【０００２】
近年の環境問題の顕在化から、ハイブリッド自動車や電気自動車が普及するに至っている。そして、このような車両に適用することができる空気調和装置として、冷媒を圧縮して吐出する圧縮機と、車室内側に設けられて冷媒を放熱させる放熱器と、車室内側に設けられて冷媒を吸熱させる吸熱器と、車室外側に設けられて冷媒を放熱又は吸熱させる室外熱交換器を備え、圧縮機から吐出された冷媒を放熱器において放熱させ、この放熱器において放熱した冷媒を室外熱交換器において吸熱させる暖房モードと、圧縮機から吐出された冷媒を放熱器において放熱させ、放熱器において放熱した冷媒を吸熱器及び室外熱交換器において吸熱させる除湿暖房モードと、圧縮機から吐出された冷媒を放熱器にて放熱させ、放熱した当該冷媒を減圧した後、吸熱器にて吸熱させる内部サイクルモードと、圧縮機から吐出された冷媒を放熱器及び室外熱交換器にて放熱させ、放熱した当該冷媒を減圧した後、吸熱器にて吸熱させる除湿冷房モードと、圧縮機から吐出された冷媒を室外熱交換器にて放熱させ、放熱した当該冷媒を減圧した後、吸熱器にて吸熱させる冷房モードの各運転モードを切り換えて実行するものが開発されている（例えば、特許文献１参照）。
【先行技術文献】
【特許文献】
【０００３】
【特許文献１】特開２０１４−９４６７１号公報
【特許文献２】特開２０１４−６２６７５号公報
【発明の概要】
【発明が解決しようとする課題】
【０００４】
前記特許文献１のような車両用空気調和装置では、室外熱交換器の出口と圧縮機の吸込側のアキュムレータの間には、暖房用の電磁弁（開閉弁）が設けられ、上記冷房モードや除湿冷房モードから除湿暖房モードに切り換える際には、この暖房用の電磁弁を開放するものであるが、この切り換えの際の電磁弁前後の圧力差は大きいため、電磁弁の開放時に圧縮機の吸込側（アキュムレータ）に急激に流れる冷媒によって比較的大きい騒音が発生する問題があった。
【０００５】
ここで、開閉弁（切替弁）を開閉する際に当該開閉弁の高圧側と低圧側の圧力差を下げてから開閉弁（切替弁）を開放することで異音の発生を抑えるものが提案されている（例えば、特許文献２参照）。
【０００６】
本発明は、係る従来の実情に鑑み成されたものであり、所謂ヒートポンプ方式の車両用空気調和装置において、暖房時に開放される暖房用の開閉弁を開放する際に生じる騒音を適切に解消、若しくは、低減することを目的とする。
【課題を解決するための手段】
【０００７】
本発明の車両用空気調和装置は、冷媒を圧縮する圧縮機と、車室内に供給する空気が流通する空気流通路と、冷媒を放熱させて空気流通路から車室内に供給する空気を加熱するための放熱器と、冷媒を吸熱させて空気流通路から車室内に供給する空気を冷却するための吸熱器と、車室外に設けられて冷媒を放熱又は吸熱させるための室外熱交換器と、制御装置とを備え、この制御装置により、複数の運転モードを切り換えて実行するものであって、室外熱交換器の冷媒出口側に接続され、車室内の暖房時に開放される暖房用の開閉弁を備え、制御装置は、開閉弁を閉じる運転モードから開閉弁を開く運転モードに切り換える際、当該開閉弁前後の圧力差ΔＰｘｓを縮小する所定の圧力差縮小制御を実行し、当該圧力差ΔＰｘｓが所定値より低くなったことに基づく第１の許可条件が成立した場合、開閉弁を開く運転モードへの切り換えを許可すると共に、第１の許可条件が成立していない場合にも、外気温度が所定値より低いことに基づく第２の許可条件が成立したとき、開閉弁を開く運転モードへの切り換えを許可することを特徴とする。
【０００８】
請求項２の発明の車両用空気調和装置は、上記発明において第１の許可条件は、開閉弁前後の圧力差ΔＰｘｓが所定値より低くなり、その状態が第１の所定時間継続したことであり、第２の許可条件は、圧力差縮小制御を開始してから第１の所定時間より長い第２の所定時間、外気温度が所定値より低い状態が継続したことであることを特徴とする。
【０００９】
請求項３の発明の車両用空気調和装置は、上記各発明において制御装置は、開閉弁の冷媒出口側における複数の箇所の圧力、及び、外気温度から換算される開閉弁の冷媒出口側の圧力のうち、最も低い圧力に基づいて圧力差ΔＰｘｓを判断することを特徴とする。
【００１０】
請求項４の発明の車両用空気調和装置は、上記各発明において制御装置は、圧力差縮小制御において、圧縮機を停止し、又は、当該圧縮機の回転数を低下させることを特徴とする。
【００１１】
請求項５の発明の車両用空気調和装置は、上記各発明において室外熱交換器に流入する冷媒を減圧するための室外膨張弁と、圧縮機の冷媒吐出側と室外膨張弁の冷媒出口側とを連通するバイパス配管を備え、制御装置は、開閉弁を閉じると共に、室外膨張弁を全閉として圧縮機から吐出された冷媒を放熱器に流すこと無く、バイパス配管に流して室外熱交換器に直接流入させる運転モードを有し、この運転モードから開閉弁を開く運転モードに切り換える際の圧力差縮小制御においては、室外膨張弁を開くことを特徴とする。
【００１２】
請求項６の発明の車両用空気調和装置は、上記各発明において車室内に供給する空気を吸熱器に通風する室内送風機を備え、吸熱器の冷媒出口側は開閉弁の冷媒出口側に接続されており、制御装置は、圧力差縮小制御において、室内送風機による通風量を増大させることを特徴とする。
【発明の効果】
【００１３】
本発明によれば、冷媒を圧縮する圧縮機と、車室内に供給する空気が流通する空気流通路と、冷媒を放熱させて空気流通路から車室内に供給する空気を加熱するための放熱器と、冷媒を吸熱させて空気流通路から車室内に供給する空気を冷却するための吸熱器と、車室外に設けられて冷媒を放熱又は吸熱させるための室外熱交換器と、制御装置とを備え、この制御装置により、複数の運転モードを切り換えて実行する車両用空気調和装置において、室外熱交換器の冷媒出口側に接続され、車室内の暖房時に開放される暖房用の開閉弁を備え、制御装置は、開閉弁を閉じる運転モードから開閉弁を開く運転モードに切り換える際、当該開閉弁前後の圧力差ΔＰｘｓを縮小する所定の圧力差縮小制御を実行し、当該圧力差ΔＰｘｓが所定値より低くなったことに基づく第１の許可条件が成立した場合、開閉弁を開く運転モードへの切り換えを許可するようにしたので、開閉弁を閉じる運転モードから開閉弁を開く運転モードに切り換える際に、暖房用の開閉弁を開放したときに、圧縮機の吸込側に向かって冷媒が急激に流れることを大幅に抑制又は解消することができる。
【００１４】
また、外気温度が低い状況では暖房用の開閉弁前後の圧力差は小さくなる。そこで、本発明では制御装置が、第１の許可条件が成立していない場合にも、外気温度が所定値より低いことに基づく第２の許可条件が成立したとき、開閉弁を開く運転モードへの切り換えを許可するようにしたので、第１の許可条件の成立を待たずに外気温度の低下に基づいて開閉弁を開く運転モードへの切り換えを許可することができるようになり、例えば圧力差ΔＰｘｓの低下が極めて緩慢な状況では、外気温度によって運転モードの切り換えを支障無く行い、運転モードの切換が極めて遅くなって搭乗者が不快感を覚える不都合を防止することができるようになる。そして、これらにより他の運転モードから開閉弁を開く運転モードへの切り換えを支障無く行いながら、当該開閉弁を開放したときに生じる騒音を効果的に解消、若しくは、低減することができるようになるものである。
【００１５】
このとき、請求項２の発明の如く第１の許可条件を、開閉弁前後の圧力差ΔＰｘｓが所定値より低くなり、その状態が第１の所定時間継続したこととし、第２の許可条件を、圧力差縮小制御を開始してから第１の所定時間より長い第２の所定時間、外気温度が所定値より低い状態が継続したこととすれば、外気温度の低下で開閉弁前後の圧力差ΔＰｘｓが十分低下してから適切に開閉弁を開く運転モードに切り換えることが可能となる。
【００１６】
更に、暖房用の開閉弁の冷媒入口側の圧力と比較する冷媒出口側の圧力点が複数存在する場合には、請求項３の発明の如く制御装置により、暖房用の開閉弁の冷媒出口側における複数の箇所の圧力、及び、外気温度から換算される開閉弁の冷媒出口側の圧力のうち、最も低い圧力に基づいて圧力差ΔＰｘｓを判断することで、暖房用の開閉弁を開放したときに生じる騒音を、より確実に解消、若しくは、低減することができるようになる。
【００１７】
また、請求項４の発明の如く制御装置が、圧力差縮小制御において、圧縮機を停止し、又は、当該圧縮機の回転数を低下させるようにすれば、暖房用の開閉弁の冷媒入口側の圧力を迅速に下げて開閉弁前後の圧力差ΔＰｘｓを効果的に縮小させることができるようになる。
【００１８】
また、室外熱交換器に流入する冷媒を減圧するための室外膨張弁と、圧縮機の冷媒吐出側と室外膨張弁の冷媒出口側とを連通するバイパス配管を備え、制御装置が、室外膨張弁を全閉として圧縮機から吐出された冷媒を放熱器に流すこと無く、バイパス配管に流して室外熱交換器に直接流入させる運転モードを有するときには、請求項５の発明の如く制御装置により、当該運転モードから開閉弁を開く運転モードに切り換える際の圧力差縮小制御において、室外膨張弁を開くようにすることによっても、暖房用の開閉弁の冷媒入口側の圧力を迅速に下げて開閉弁前後の圧力差ΔＰｘｓを効果的に縮小させることができるようになる。
【００１９】
また、請求項６の発明の如く車室内に供給する空気を吸熱器に通風する室内送風機を備え、吸熱器の冷媒出口側が開閉弁の冷媒出口側に接続されているときには、制御装置が、圧力差縮小制御において、室内送風機による通風量を増大させるようにすれば、暖房用の開閉弁の冷媒出口側の圧力の上昇を促進し、開閉弁前後の圧力差ΔＰｘｓを効果的に縮小させることができるようになる。また、室内送風機による通風量を増やせば開閉弁の開閉による騒音が気になり難くなる効果もある。
【図面の簡単な説明】
【００２０】
【図１】本発明を適用した一実施形態の車両用空気調和装置の構成図である（実施例１）。
【図２】図１の車両用空気調和装置の制御装置のブロック図である。
【図３】図１の車両用空気調和装置の空気流通路の模式図である。
【図４】図２のヒートポンプコントローラの暖房モードにおける圧縮機制御に関する制御ブロック図である。
【図５】図２のヒートポンプコントローラの除湿暖房モードにおける圧縮機制御に関する制御ブロック図である。
【図６】図２のヒートポンプコントローラの除湿暖房モードにおける補助ヒータ（補助加熱装置）制御に関する制御ブロック図である。
【図７】図２のヒートポンプコントローラによる暖房モードへの切換許可判定制御を説明するフローチャートである。
【図８】暖房モードに切り換えるために圧縮機を停止させたときの室内送風機による通風量と吸熱器温度との関係を示す図である。
【図９】本発明の他の実施例の車両用空気調和装置の構成図である（実施例２）。
【発明を実施するための形態】
【００２１】
以下、本発明の実施の形態について、図面に基づき詳細に説明する。
【実施例１】
【００２２】
図１は本発明の一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房モードを行い、更に、除湿暖房モード、除湿冷房モード、冷房モード、ＭＡＸ冷房モード（最大冷房モード）及び補助ヒータ単独モードの各運転モードを選択的に実行するものである。
【００２３】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００２４】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を放熱させて車室内に供給する空気を加熱するためのヒータとしての放熱器４と、暖房時に冷媒を減圧膨張させる電動弁から成る室外膨張弁６（減圧装置）と、車室外に設けられて冷房時には放熱器として機能し、暖房時には蒸発器として機能すべく冷媒と外気との間で熱交換を行わせる室外熱交換器７と、冷媒を減圧膨張させる電動弁から成る室内膨張弁８（減圧装置）と、空気流通路３内に設けられ、冷房時及び除湿時に冷媒を吸熱させて車室内外から吸い込んで車室内に供給する空気を冷却するための吸熱器９と、アキュムレータ１２等が冷媒配管１３により順次接続され、冷媒回路Ｒが構成されている。
【００２５】
そして、この冷媒回路Ｒには所定量の冷媒と潤滑用のオイルが充填されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。
【００２６】
また、室外熱交換器７は冷媒下流側にレシーバドライヤ部１４と過冷却部１６を順次有し、室外熱交換器７から出た冷媒配管１３Ａは冷房や除湿時に開放される開閉弁としての電磁弁１７を介してレシーバドライヤ部１４に接続され、過冷却部１６の冷媒出口側の冷媒配管１３Ｂは室内膨張弁８介して吸熱器９の冷媒入口側に接続されている。尚、レシーバドライヤ部１４及び過冷却部１６は構造的に室外熱交換器７の一部を構成している。
【００２７】
また、過冷却部１６と室内膨張弁８間の冷媒配管１３Ｂは、吸熱器９の冷媒出口側の冷媒配管１３Ｃと熱交換関係に設けられ、両者で内部熱交換器１９を構成している。これにより、冷媒配管１３Ｂを経て室内膨張弁８に流入する冷媒は、吸熱器９を出た低温の冷媒により冷却（過冷却）される構成とされている。
【００２８】
また、室外熱交換器７から出た冷媒配管１３Ａは冷媒配管１３Ｄに分岐しており、この分岐した冷媒配管１３Ｄは、暖房モードで開放される開閉弁としての電磁弁２１を介して内部熱交換器１９の下流側における冷媒配管１３Ｃに連通接続されている。これにより、電磁弁２１は室外熱交換器７の冷媒出口側に接続され、吸熱器９の冷媒出口側は電磁弁２１の冷媒出口側に連通接続されたかたちとなる。そして、冷媒配管１３Ｃがアキュムレータ１２に接続され、アキュムレータ１２は圧縮機２の冷媒吸込側に接続されている。更に、放熱器４の冷媒出口側の冷媒配管１３Ｅは室外膨張弁６を介して室外熱交換器７の冷媒入口側に接続されている。
【００２９】
また、圧縮機２の冷媒吐出側と放熱器４の冷媒入口側の間の冷媒配管１３Ｇには後述する除湿暖房とＭＡＸ冷房時に閉じられる開閉弁としての電磁弁３０（流路切換装置を構成する）が介設されている。この場合、冷媒配管１３Ｇは電磁弁３０の上流側でバイパス配管３５に分岐しており、このバイパス配管３５は除湿暖房とＭＡＸ冷房時に開放される開閉弁としての電磁弁４０（これも流路切換装置を構成する）を介して室外膨張弁６の冷媒出口側の冷媒配管１３Ｅに連通接続されている。
【００３０】
即ち、バイパス配管３５は圧縮機２の冷媒吐出側と室外膨張弁６の冷媒出口側（下流側）とを連通し、電磁弁３０が閉じられ、電磁弁４０が開放された状態では、圧縮機２から吐出された冷媒を放熱器４及び室外膨張弁６に流すこと無く、室外熱交換器７に直接流入させる。そして、これらバイパス配管３５、電磁弁３０及び電磁弁４０によりバイパス装置４５が構成される。
【００３１】
このようなバイパス配管３５、電磁弁３０及び電磁弁４０によりバイパス装置４５を構成したことで、後述する如く圧縮機２から吐出された冷媒を放熱器４及び室外膨張弁６に流すこと無く、室外熱交換器７に直接流入させる除湿暖房モードやＭＡＸ冷房モードと、圧縮機２から吐出された冷媒を放熱器４に流入させる暖房モードや除湿冷房モード、冷房モードとの切り換えを円滑に行うことができるようになる。
【００３２】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気（車室内に供給する空気）を空気流通路３に送給し、吸熱器９に通風するための室内送風機（ブロワファン）２７が設けられている。
【００３３】
また、図１において２３は実施例の車両用空気調和装置１に設けられた補助加熱装置（もう一つのヒータ）としての補助ヒータである。実施例の補助ヒータ２３は電気ヒータであるＰＴＣヒータにて構成されており、空気流通路３の空気の流れに対して、放熱器４の風上側（空気上流側）となる空気流通路３内に設けられている。そして、補助ヒータ２３に通電されて発熱すると、吸熱器９を経て放熱器４に流入する空気流通路３内の空気が加熱される。即ち、この補助ヒータ２３が所謂ヒータコアとなり、車室内の暖房を行い、或いは、それを補完する。この実施例では前述した放熱器４とこの補助ヒータ２３がヒータとなる。
【００３４】
ここで、ＨＶＡＣユニット１０の吸熱器９より風下側（空気下流側）の空気流通路３は仕切壁１０Ａにより区画され、暖房用熱交換通路３Ａとそれをバイパスするバイパス通路３Ｂとが形成されており、前述した放熱器４と補助ヒータ２３は暖房用熱交換通路３Ａに配置されている。
【００３５】
また、補助ヒータ２３の風上側における空気流通路３内には、当該空気流通路３内に流入し、吸熱器９を通過した後の空気流通路３内の空気（内気や外気）を、補助ヒータ２３及び放熱器４が配置された暖房用熱交換通路３Ａに通風する割合を調整するエアミックスダンパ２８が設けられている。
【００３６】
更に、放熱器４の風下側におけるＨＶＡＣユニット１０には、ＦＯＯＴ（フット）吹出口２９Ａ（第１の吹出口）、ＶＥＮＴ（ベント）吹出口２９Ｂ（ＦＯＯＴ吹出口２９Ａに対しては第２の吹出口、ＤＥＦ吹出口２９Ｃに対しては第１の吹出口）、ＤＥＦ（デフ）吹出口２９Ｃ（第２の吹出口）の各吹出口が形成されている。ＦＯＯＴ吹出口２９Ａは車室内の足下に空気を吹き出すための吹出口で、最も低い位置にある。また、ＶＥＮＴ吹出口２９Ｂは車室内の運転者の胸や顔付近に空気を吹き出すための吹出口で、ＦＯＯＴ吹出口２９Ａより上方にある。そして、ＤＥＦ吹出口２９Ｃは車両のフロントガラス内面に空気を吹き出すための吹出口で、他の吹出口２９Ａ、２９Ｂよりも上方の最も高い位置にある。
【００３７】
そして、ＦＯＯＴ吹出口２９Ａ、ＶＥＮＴ吹出口２９Ｂ、及び、ＤＥＦ吹出口２９Ｃには、空気の吹き出し量を制御するＦＯＯＴ吹出口ダンパ３１Ａ、ＶＥＮＴ吹出口ダンパ３１Ｂ、及び、ＤＥＦ吹出口ダンパ３１Ｃがそれぞれ設けられている。
【００３８】
次に、図２は実施例の車両用空気調和装置１の制御装置１１のブロック図を示している。制御装置１１は、何れもプロセッサを備えたコンピュータの一例であるマイクロコンピュータから構成された空調コントローラ２０及びヒートポンプコントローラ３２から構成されており、これらがＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）を構成する車両通信バス６５に接続されている。また、圧縮機２と補助ヒータ２３も車両通信バス６５に接続され、これら空調コントローラ２０、ヒートポンプコントローラ３２、圧縮機２及び補助ヒータ２３が車両通信バス６５を介してデータの送受信を行うように構成されている。
【００３９】
空調コントローラ２０は、車両の車室内空調の制御を司る上位のコントローラであり、この空調コントローラ２０の入力には、車両の外気温度（Ｔａｍ）を検出する外気温度センサ３３と、外気湿度を検出する外気湿度センサ３４と、吸込口２５から空気流通路３に吸い込まれて吸熱器９に流入する空気の温度（吸込空気温度Ｔａｓ）を検出するＨＶＡＣ吸込温度センサ３６と、車室内の空気（内気）の温度（室内温度Ｔｉｎ）を検出する内気温度センサ３７と、車室内の空気の湿度を検出する内気湿度センサ３８と、車室内の二酸化炭素濃度を検出する室内ＣＯ2濃度センサ３９と、車室内に吹き出される空気の温度を検出する吹出温度センサ４１と、圧縮機２の吐出冷媒圧力（吐出圧力Ｐｄ）を検出する吐出圧力センサ４２と、車室内への日射量を検出するための例えばフォトセンサ式の日射センサ５１と、車両の移動速度（車速）を検出するための車速センサ５２の各出力と、設定温度や運転モードの切り換えを設定するための空調（エアコン）操作部５３が接続されている。
【００４０】
また、空調コントローラ２０の出力には、室外送風機１５と、室内送風機２７と、吸込切換ダンパ２６と、エアミックスダンパ２８と、各吹出口ダンパ３１Ａ〜３１Ｃが接続され、それらは空調コントローラ２０により制御される。
【００４１】
ヒートポンプコントローラ３２は、主に冷媒回路Ｒの制御を司るコントローラであり、このヒートポンプコントローラ３２の入力には、圧縮機２の吐出冷媒温度を検出する吐出温度センサ４３と、圧縮機２の吸込冷媒圧力を検出する吸込圧力センサ４４と、圧縮機２の吸込冷媒温度Ｔｓを検出する吸込温度センサ５５と、放熱器４の冷媒温度（放熱器温度ＴＣＩ）を検出する放熱器温度センサ４６と、放熱器４の冷媒圧力（放熱器圧力ＰＣＩ）を検出する放熱器圧力センサ４７と、吸熱器９の冷媒温度（吸熱器温度Ｔｅ）を検出する吸熱器温度センサ４８と、吸熱器９の冷媒圧力を検出する吸熱器圧力センサ４９と、補助ヒータ２３の温度（補助ヒータ温度Ｔｐｔｃ）を検出する補助ヒータ温度センサ５０と、室外熱交換器７の出口の冷媒温度（室外熱交換器温度ＴＸＯ）を検出する室外熱交換器温度センサ５４と、室外熱交換器７の出口の冷媒圧力（室外熱交換器圧力ＰＸＯ）を検出する室外熱交換器圧力センサ５６の各出力が接続されている。
【００４２】
また、ヒートポンプコントローラ３２の出力には、室外膨張弁６、室内膨張弁８と、電磁弁３０（リヒート用）、電磁弁１７（冷房用）、電磁弁２１（暖房用）、電磁弁４０（バイパス用）の各電磁弁が接続され、それらはヒートポンプコントローラ３２により制御される。尚、圧縮機２と補助ヒータ２３はそれぞれコントローラを内蔵しており、圧縮機２と補助ヒータ２３のコントローラは車両通信バス６５を介してヒートポンプコントローラ３２とデータの送受信を行い、このヒートポンプコントローラ３２によって制御される。
【００４３】
ヒートポンプコントローラ３２と空調コントローラ２０は車両通信バス６５を介して相互にデータの送受信を行い、各センサの出力や空調操作部５３にて入力された設定に基づき、各機器を制御するものであるが、この場合の実施例では外気温度センサ３３、吐出圧力センサ４２、車速センサ５２、空気流通路３に流入した空気の体積風量Ｇａ（空調コントローラ２０が算出）、エアミックスダンパ２８による風量割合ＳＷ（空調コントローラ２０が算出）、空調操作部５３の出力は空調コントローラ２０から車両通信バス６５を介してヒートポンプコントローラ３２に送信され、ヒートポンプコントローラ３２による制御に供される構成とされている。
【００４４】
以上の構成で、次に実施例の車両用空気調和装置１の動作を説明する。この実施例では制御装置１１（空調コントローラ２０、ヒートポンプコントローラ３２）は、暖房モード、除湿暖房モード、除湿冷房モード、冷房モード、ＭＡＸ冷房モード（最大冷房モード）及び補助ヒータ単独モードの各運転モードを切り換えて実行する。先ず、各運転モードにおける冷媒の流れと制御の概略について説明する。
【００４５】
（１）暖房モード（暖房用の電磁弁２１を開く運転モード）
ヒートポンプコントローラ３２により（オートモード）或いは空調操作部５３へのマニュアル操作（マニュアルモード）により暖房モードが選択されると、ヒートポンプコントローラ３２は電磁弁２１（暖房用）を開放し、電磁弁１７（冷房用）を閉じる。また、電磁弁３０（リヒート用）を開放し、電磁弁４０（バイパス用）を閉じる。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量を調整してもよい。
【００４６】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒（補助ヒータ２３が動作するときは当該補助ヒータ２３及び放熱器４）により加熱され、一方、放熱器４内の冷媒は空気に熱を奪われて冷却され、凝縮液化する。
【００４７】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ及び電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。放熱器４（補助ヒータ２３が動作するときは当該補助ヒータ２３及び放熱器４）にて加熱された空気は各吹出口２９Ａ〜２９Ｃから吹き出されるので、これにより車室内の暖房が行われることになる。
【００４８】
ヒートポンプコントローラ３２は、空調コントローラ２０が目標吹出温度ＴＡＯから算出する目標ヒータ温度ＴＣＯ（放熱器温度ＴＣＩの目標値）から目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。また、ヒートポンプコントローラ３２は、放熱器温度センサ４６が検出する放熱器４の冷媒温度（放熱器温度ＴＣＩ）及び放熱器圧力センサ４７が検出する放熱器圧力ＰＣＩに基づいて室外膨張弁６の弁開度を制御し、放熱器４の出口における冷媒の過冷却度ＳＣを制御する。
【００４９】
また、ヒートポンプコントローラ３２はこの暖房モードにおいては、車室内空調に要求される暖房能力に対して放熱器４による暖房能力が不足する場合、その不足する分を補助ヒータ２３の発熱で補完するように補助ヒータ２３の通電を制御する。それにより、快適な車室内暖房を実現し、且つ、室外熱交換器７の着霜も抑制する。このとき、補助ヒータ２３は放熱器４の空気上流側に配置されているので、空気流通路３を流通する空気は放熱器４の前に補助ヒータ２３に通風されることになる。
【００５０】
ここで、補助ヒータ２３が放熱器４の空気下流側に配置されていると、実施例の如くＰＴＣヒータで補助ヒータ２３を構成した場合には、補助ヒータ２３に流入する空気の温度が放熱器４によって上昇するため、ＰＴＣヒータの抵抗値が大きくなり、電流値も低くなって発熱量が低下してしまうが、放熱器４の空気上流側に補助ヒータ２３を配置することで、実施例の如くＰＴＣヒータから構成される補助ヒータ２３の能力を十分に発揮させることができるようになる。
【００５１】
（２）除湿暖房モード（暖房用の電磁弁２１を閉じる運転モード）
次に、除湿暖房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００５２】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は放熱器４及び室外膨張弁６に流れること無く、室外熱交換器７に直接流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００５３】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却され、且つ、当該空気中の水分が吸熱器９に凝結して付着するので、空気流通路３内の空気は冷却され、且つ、除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。
【００５４】
このとき、室外膨張弁６の弁開度は全閉とされているので、圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。更に、この除湿暖房モードにおいてヒートポンプコントローラ３２は、補助ヒータ２３に通電して発熱させる。これにより、吸熱器９にて冷却され、且つ、除湿された空気は補助ヒータ２３を通過する過程で更に加熱され、温度が上昇するので車室内の除湿暖房が行われることになる。
【００５５】
ヒートポンプコントローラ３２は吸熱器温度センサ４８が検出する吸熱器９の温度（吸熱器温度Ｔｅ）と、空調コントローラ２０が算出する吸熱器温度Ｔｅの目標値である目標吸熱器温度ＴＥＯに基づいて圧縮機２の回転数ＮＣを制御すると共に、補助ヒータ温度センサ５０が検出する補助ヒータ温度Ｔｐｔｃと前述した目標ヒータ温度ＴＣＯ（この場合、補助ヒータ温度Ｔｐｔｃの目標値となる）に基づいて補助ヒータ２３の通電（発熱による加熱）を制御することで、吸熱器９での空気の冷却と除湿を適切に行いながら、補助ヒータ２３による加熱で各吹出口２９Ａ〜２９Ｃから車室内に吹き出される空気温度の低下を的確に防止する。これにより、車室内に吹き出される空気を除湿しながら、その温度を適切な暖房温度に制御することが可能となり、車室内の快適且つ効率的な除湿暖房を実現することができるようになる。
【００５６】
尚、補助ヒータ２３は放熱器４の空気上流側に配置されているので、補助ヒータ２３で加熱された空気は放熱器４を通過することになるが、この除湿暖房モードでは放熱器４に冷媒は流されないので、補助ヒータ２３にて加熱された空気から放熱器４が吸熱してしまう不都合も解消される。即ち、放熱器４によって車室内に吹き出される空気の温度が低下してしまうことが抑制され、ＣＯＰも向上することになる。
【００５７】
（３）除湿冷房モード（暖房用の電磁弁２１を閉じる運転モード）
次に、除湿冷房モードでは、ヒートポンプコントローラ３２は電磁弁１７を開放し、電磁弁２１を閉じる。また、電磁弁３０を開放し、電磁弁４０を閉じる。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００５８】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００５９】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６０】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６１】
吸熱器９で蒸発した冷媒は内部熱交換器１９を経て冷媒配管１３Ｃを介し、アキュムレータ１２に至り、そこを経て圧縮機２に吸い込まれる循環を繰り返す。この除湿冷房モードではヒートポンプコントローラ３２は補助ヒータ２３に通電しないので、吸熱器９にて冷却され、除湿された空気は放熱器４を通過する過程で再加熱（暖房時よりも放熱能力は低い）される。これにより車室内の除湿冷房が行われることになる。
【００６２】
ヒートポンプコントローラ３２は吸熱器温度センサ４８が検出する吸熱器９の温度（吸熱器温度Ｔｅ）とその目標値である目標吸熱器温度ＴＥＯ（空調コントローラ２０から送信される）に基づいて圧縮機２の回転数ＮＣを制御する。また、ヒートポンプコントローラ３２は前述した目標ヒータ温度ＴＣＯから目標放熱器圧力ＰＣＯを算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて室外膨張弁６の弁開度を制御し、放熱器４による加熱を制御する。
【００６３】
（４）冷房モード（暖房用の電磁弁２１を閉じる運転モード）
次に、冷房モードでは、ヒートポンプコントローラ３２は上記除湿冷房モードの状態において室外膨張弁６の弁開度を全開とする。そして、圧縮機２を運転し、補助ヒータ２３には通電しない。空調コントローラ２０は各送風機１５、２７を運転し、エアミックスダンパ２８は、室内送風機２７から吹き出されて吸熱器９を経た空気流通路３内の空気が、暖房用熱交換通路３Ａの補助ヒータ２３及び放熱器４に通風される割合を調整する状態とする。
【００６４】
これにより、圧縮機２から吐出された高温高圧のガス冷媒は電磁弁３０を経て冷媒配管１３Ｇから放熱器４に流入すると共に、放熱器４を出た冷媒は冷媒配管１３Ｅを経て室外膨張弁６に至る。このとき室外膨張弁６は全開とされているので冷媒はそれを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００６５】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着する。
【００６６】
吸熱器９で蒸発した冷媒は内部熱交換器１９を経て冷媒配管１３Ｃを介し、アキュムレータ１２に至り、そこを経て圧縮機２に吸い込まれる循環を繰り返す。吸熱器９にて冷却され、除湿された空気が各吹出口２９Ａ〜２９Ｃから車室内に吹き出されるので（一部は放熱器４を通過して熱交換する）、これにより車室内の冷房が行われることになる。また、この冷房モードにおいては、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００６７】
（５）ＭＡＸ冷房モード（最大冷房モード。暖房用の電磁弁２１を閉じる運転モード）
次に、最大冷房モードとしてのＭＡＸ冷房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転し、補助ヒータ２３には通電しない。空調コントローラ２０は、各送風機１５、２７を運転し、エアミックスダンパ２８は、室内送風機２７から吹き出されて吸熱器９を経た空気流通路３内の空気が、暖房用熱交換通路３Ａの補助ヒータ２３及び放熱器４に通風される割合を調整する状態とする。
【００６８】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は放熱器４及び室外膨張弁６に流れること無く、室外熱交換器７に直接流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６９】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着するので、空気流通路３内の空気は除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。このとき、室外膨張弁６は全閉とされているので、同様に圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。
【００７０】
ここで、前述した冷房モードでは放熱器４に高温の冷媒が流れているため、放熱器４からＨＶＡＣユニット１０への直接の熱伝導が少なからず生じるが、このＭＡＸ冷房モードでは放熱器４に冷媒が流れないため、放熱器４からＨＶＡＣユニット１０に伝達される熱で吸熱器９からの空気流通路３内の空気が加熱されることも無くなる。そのため、車室内の強力な冷房が行われ、特に外気温度Ｔａｍが高いような環境下では、迅速に車室内を冷房して快適な車室内空調を実現することができるようになる。また、このＭＡＸ冷房モードにおいても、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００７１】
（６）補助ヒータ単独モード
尚、実施例の制御装置１１は室外熱交換器７に過着霜が生じた場合などに、冷媒回路Ｒの圧縮機２と室外送風機１５を停止し、補助ヒータ２３に通電してこの補助ヒータ２３のみで車室内を暖房する補助ヒータ単独モードを有している。この場合にも、ヒートポンプコントローラ３２は補助ヒータ温度センサ５０が検出する補助ヒータ温度Ｔｐｔｃと前述した目標ヒータ温度ＴＣＯに基づいて補助ヒータ２３の通電（発熱）を制御する。
【００７２】
また、空調コントローラ２０は室内送風機２７を運転し、エアミックスダンパ２８は、室内送風機２７から吹き出された空気流通路３内の空気を暖房用熱交換通路３Ａの補助ヒータ２３に通風し、風量を調整する状態とする。補助ヒータ２３にて加熱された空気が各吹出口２９Ａ〜２９Ｃから車室内に吹き出されるので、これにより車室内の暖房が行われることになる。
【００７３】
（７）運転モードの切換
空調コントローラ２０は、下記式（Ｉ）から前述した目標吹出温度ＴＡＯを算出する。この目標吹出温度ＴＡＯは、車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する室内温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００７４】
ヒートポンプコントローラ３２は、起動時には空調コントローラ２０から車両通信バス６５を介して送信される外気温度Ｔａｍ（外気温度センサ３３が検出する）と目標吹出温度ＴＡＯとに基づいて上記各運転モードのうちの何れかの運転モードを選択すると共に、各運転モードを車両通信バス６５を介して空調コントローラ２０に送信する。
【００７５】
また、ヒートポンプコントローラ３２は、起動後は外気温度Ｔａｍ、車室内の湿度、目標吹出温度ＴＡＯ、後述する加熱温度ＴＨ（放熱器４の風下側の空気の温度。推定値）、目標ヒータ温度ＴＣＯ、吸熱器温度Ｔｅ、目標吸熱器温度ＴＥＯ、車室内の除湿要求の有無、等のパラメータに基づいて各運転モードの切り換えを行うことで、環境条件や除湿の要否に応じて的確に暖房モード、除湿暖房モード、除湿冷房モード、冷房モード、ＭＡＸ冷房モード及び補助ヒータ単独モードを切り換えて車室内に吹き出される空気の温度を目標吹出温度ＴＡＯに制御し、快適且つ効率的な車室内空調を実現するものであるが、暖房モード以外の運転モード（暖房用の電磁弁２１を閉じる運転モード）から暖房モード（暖房用の電磁弁２１を開く運転モード）に切り換える際には、後述する切換許可判定制御を実行する。
【００７６】
（８）ヒートポンプコントローラ３２による暖房モードでの圧縮機２の制御
次に、図４を用いて前述した暖房モードにおける圧縮機２の制御について詳述する。図４は暖房モード用の圧縮機２の目標回転数（圧縮機目標回転数）ＴＧＮＣｈを決定するヒートポンプコントローラ３２の制御ブロック図である。ヒートポンプコントローラ３２のＦ／Ｆ（フィードフォワード）操作量演算部５８は外気温度センサ３３から得られる外気温度Ｔａｍと、室内送風機２７のブロワ電圧ＢＬＶと、ＳＷ＝（ＴＡＯ−Ｔｅ）／（ＴＨ−Ｔｅ）で得られるエアミックスダンパ２８による風量割合ＳＷと、放熱器４の出口における過冷却度ＳＣの目標値である目標過冷却度ＴＧＳＣと、放熱器４の温度の目標値である前述した目標ヒータ温度ＴＣＯ（空調コントローラ２０から送信される）と、放熱器４の圧力の目標値である目標放熱器圧力ＰＣＯに基づいて圧縮機目標回転数のＦ／Ｆ操作量ＴＧＮＣｈｆｆを演算する。
【００７７】
ここで、風量割合ＳＷを算出する上記ＴＨは、放熱器４の風下側の空気の温度（以下、加熱温度と云う）であり、ヒートポンプコントローラ３２が下記に示す一次遅れ演算の式（ＩＩ）から推定する。
ＴＨ＝（ＩＮＴＬ×ＴＨ０＋Ｔａｕ×ＴＨｚ）／（Ｔａｕ＋ＩＮＴＬ）  ・・（ＩＩ）
ここで、ＩＮＴＬは演算周期（定数）、Ｔａｕは一次遅れの時定数、ＴＨ０は一次遅れ演算前の定常状態における加熱温度ＴＨの定常値、ＴＨｚは加熱温度ＴＨの前回値である。このように加熱温度ＴＨを推定することで、格別な温度センサを設ける必要がなくなる。
【００７８】
尚、ヒートポンプコントローラ３２は前述した運転モードによって上記時定数Ｔａｕ及び定常値ＴＨ０を変更することにより、上述した推定式（ＩＩ）を運転モードによって異なるものとし、加熱温度ＴＨを推定する。そして、この加熱温度ＴＨは車両通信バス６５を介して空調コントローラ２０に送信される。
【００７９】
前記目標放熱器圧力ＰＣＯは上記目標過冷却度ＴＧＳＣと目標ヒータ温度ＴＣＯに基づいて目標値演算部５９が演算する。更に、Ｆ／Ｂ（フィードバック）操作量演算部６０はこの目標放熱器圧力ＰＣＯと放熱器４の冷媒圧力である放熱器圧力ＰＣＩに基づいて圧縮機目標回転数のＦ／Ｂ操作量ＴＧＮＣｈｆｂを演算する。そして、Ｆ／Ｆ操作量演算部５８が演算したＦ／Ｆ操作量ＴＧＮＣｎｆｆとＦ／Ｂ操作量演算部６０が演算したＴＧＮＣｈｆｂは加算器６１で加算され、リミット設定部６２で制御上限値と制御下限値のリミットが付けられた後、圧縮機目標回転数ＴＧＮＣｈとして決定される。前記暖房モードにおいては、ヒートポンプコントローラ３２はこの圧縮機目標回転数ＴＧＮＣｈに基づいて圧縮機２の回転数ＮＣを制御する。
【００８０】
（９）ヒートポンプコントローラ３２による除湿暖房モードでの圧縮機２及び補助ヒータ２３の制御
一方、図５は前記除湿暖房モード用の圧縮機２の目標回転数（圧縮機目標回転数）ＴＧＮＣｃを決定するヒートポンプコントローラ３２の制御ブロック図である。ヒートポンプコントローラ３２のＦ／Ｆ操作量演算部６３は外気温度Ｔａｍと、空気流通路３に流入した空気の体積風量Ｇａと、放熱器４の圧力（放熱器圧力ＰＣＩ）の目標値である目標放熱器圧力ＰＣＯと、吸熱器９の温度（吸熱器温度Ｔｅ）の目標値である目標吸熱器温度ＴＥＯに基づいて圧縮機目標回転数のＦ／Ｆ操作量ＴＧＮＣｃｆｆを演算する。
【００８１】
また、Ｆ／Ｂ操作量演算部６４は目標吸熱器温度ＴＥＯ（空調コントローラ２０から送信される）と吸熱器温度Ｔｅに基づいて圧縮機目標回転数のＦ／Ｂ操作量ＴＧＮＣｃｆｂを演算する。そして、Ｆ／Ｆ操作量演算部６３が演算したＦ／Ｆ操作量ＴＧＮＣｃｆｆとＦ／Ｂ操作量演算部６４が演算したＦ／Ｂ操作量ＴＧＮＣｃｆｂは加算器６６で加算され、リミット設定部６７で制御上限値と制御下限値のリミットが付けられた後、圧縮機目標回転数ＴＧＮＣｃとして決定される。除湿暖房モードにおいては、ヒートポンプコントローラ３２はこの圧縮機目標回転数ＴＧＮＣｃに基づいて圧縮機２の回転数ＮＣを制御する。
【００８２】
また、図６は除湿暖房モードにおける補助ヒータ２３の補助ヒータ要求能力ＴＧＱＰＴＣを決定するヒートポンプコントローラ３２の制御ブロック図である。ヒートポンプコントローラ３２の減算器７３には目標ヒータ温度ＴＣＯと補助ヒータ温度Ｔｐｔｃが入力され、目標ヒータ温度ＴＣＯと補助ヒータ温度Ｔｐｔｃの偏差（ＴＣＯ−Ｔｐｔｃ）が算出される。この偏差（ＴＣＯ−Ｔｐｔｃ）はＦ／Ｂ制御部７４に入力され、このＦ／Ｂ制御部７４は偏差（ＴＣＯ−Ｔｐｔｃ）を無くして補助ヒータ温度Ｔｐｔｃが目標ヒータ温度ＴＣＯとなるように補助ヒータ要求能力Ｆ／Ｂ操作量を演算する。
【００８３】
このＦ／Ｂ制御部７４で算出された補助ヒータ要求能力Ｆ／Ｂ操作量はリミット設定部７６で制御上限値と制御下限値のリミットが付けられた後、補助ヒータ要求能力ＴＧＱＰＴＣとして決定される。除湿暖房モードにおいては、コントローラ３２はこの補助ヒータ要求能力ＴＧＱＰＴＣに基づいて補助ヒータ２３の通電を制御することにより、補助ヒータ温度Ｔｐｔｃが目標ヒータ温度ＴＣＯとなるように補助ヒータ２３の発熱（加熱）を制御する。
【００８４】
このようにしてヒートポンプコントローラ３２は、除湿暖房モードでは吸熱器温度Ｔｅと目標吸熱器温度ＴＥＯに基づいて圧縮機の運転を制御すると共に、目標ヒータ温度ＴＣＯに基づいて補助ヒータ２３の発熱を制御することで、除湿暖房モードにおける吸熱器９による冷却と除湿、並びに、補助ヒータ２３による加熱を的確に制御する。これにより、車室内に吹き出される空気をより適切に除湿しながら、その温度をより正確な暖房温度に制御することが可能となり、より一層快適且つ効率的な車室内の除湿暖房を実現することができるようになる。
【００８５】
（１０）エアミックスダンパ２８の制御
次に、図３を参照しながら空調コントローラ２０によるエアミックスダンパ２８の制御について説明する。図３においてＧａは前述した空気流通路３に流入した空気の体積風量、Ｔｅは吸熱器温度、ＴＨは前述した加熱温度（放熱器４の風下側の空気の温度）である。
【００８６】
空調コントローラ２０は、前述した如き式（下記式（ＩＩＩ））により算出される暖房用熱交換通路３Ａの放熱器４と補助ヒータ２３に通風する風量割合ＳＷに基づき、当該割合の風量となるようにエアミックスダンパ２８を制御することで放熱器４（及び補助ヒータ２３）への通風量を調整する。
ＳＷ＝（ＴＡＯ−Ｔｅ）／（ＴＨ−Ｔｅ）      ・・（ＩＩＩ）
【００８７】
即ち、暖房用熱交換通路３Ａの放熱器４と補助ヒータ２３に通風する風量割合ＳＷは０≦ＳＷ≦１の範囲で変化し、「０」で暖房用熱交換通路３Ａへの通風をせず、空気流通路３内の全ての空気をバイパス通路３Ｂに通風するエアミックス全閉状態、「１」で空気流通路３内の全ての空気を暖房用熱交換通路３Ａに通風するエアミックス全開状態となる。即ち、放熱器４への風量はＧａ×ＳＷとなる。
【００８８】
（１１）暖房用の電磁弁２１を開く暖房モードへの切換許可判定制御
次に、図７及び図８を参照しながら、車両用空気調和装置１の運転モードを、前述した除湿暖房モード、除湿冷房モード、冷房モード、又は、ＭＡＸ冷房モード（電磁弁２１を閉じる運転モード）から暖房モード（電磁弁２１を開く運転モード）に切り換える際に、ヒートポンプコントローラ３２が実行する切換許可判定制御の一例について説明する。
【００８９】
ヒートポンプコントローラ３２は、運転モードを暖房モード以外の他の運転モード（電磁弁２１を閉じる運転モード）から暖房モードに切り換える際、図７のステップＳ１で現在除湿要求があるか否か判断する。この除湿要求とは、外気温度と車室内の温度／湿度（空調コントローラ２０から送信される）に基づき、例えば外気温度が低く、車室内の温度／湿度が高いことから車両のウインドウガラス（特にフロントガラス）内面に曇りが生じる条件になっているか否か、或いは、空調操作部５３に通常設けられるエアコンのＯＮ／ＯＦＦスイッチがＯＮされたか否かということであり、曇りが生じる条件である場合、或いは、エアコンのＯＮ／ＯＦＦスイッチがＯＮされた場合に除湿要求ありとしてステップＳ５に進み、暖房モードへの切換を不許可とする。即ち、ヒートポンプコントローラ３２は暖房モードへの切換を許可せずに、圧縮機２を起動して現在の運転モードを維持する。
【００９０】
（１１−１）圧力差縮小制御
一方、ステップＳ１で除湿要求ありでは無い場合、ヒートポンプコントローラ３２はステップＳ２に進んで圧力差縮小制御を実行する。ここで、運転モードが暖房モード以外の他の運転モード（電磁弁２１を閉じる運転モード）から暖房モードに切り換わる際、暖房用の電磁弁２１を開くことになるが、切り換える前の状態の電磁弁２１の冷媒入口側の圧力は高圧圧力となっており、一方電磁弁２１の冷媒出口側の圧力は低圧圧力となっている。従って、電磁弁２１の前後の圧力差ΔＰｘｓは比較して大きな値となる。
【００９１】
そのため、他の運転モードでは閉じている電磁弁２１を、係る圧力差のまま暖房モードとするために開放すると、室外熱交換器７から電磁弁２１を経て圧縮機２の吸込側（アキュムレータ１２側）の方向に冷媒が急激に流れ、電磁弁２１において大きな音（騒音）が発生することになる。
【００９２】
そこで、ヒートポンプコントローラ３２はステップＳ１で除湿要求が無い場合、ステップＳ２でこの圧力差ΔＰｘｓを縮小させるための圧力差縮小制御を実行する。即ち、この場合の実施例の圧力差縮小制御では、ヒートポンプコントローラ３２は運転モードを暖房モードに切り換える前に、圧縮機２を停止する。圧縮機２が停止することで、冷媒回路Ｒ内の圧力が平衡状態に向かうため、電磁弁２１の前後の圧力差ΔＰｘｓも小さくなっていく。
【００９３】
（１１−２）第１の許可条件
次に、ヒートポンプコントローラ３２は、ステップＳ３で電磁弁２１の前後の圧力差ΔＰｘｓが所定値Ａより小さくなり、その状態が第１の所定時間Ｔ１（例えば１０秒等）継続しているか否か判断する。尚、これが本発明における第１の許可条件となる。また、ヒートポンプコントローラ３２は、圧力差ΔＰｘｓを算出するに当たり、下記式（ＩＶ）を用いて算出する。
ΔＰｘｓ＝ａｂｓ（ｆ（ＴＸＯ）−ｆ（ＭＩＮ（Ｔｅ、Ｔｓ、Ｔａｍ）））
・・（ＩＶ）
尚、ａｂｓとは絶対値を求めるという意味である。
また、ｆ（ＴＸＯ）は、室外熱交換器温度センサ５４が検出する室外熱交換器温度ＴＸＯから換算される電磁弁２１の冷媒入口側（前）の圧力である（飽和温度から飽和圧力を求める）。
更に、ｆ（ＭＩＮ（Ｔｅ、Ｔｓ、Ｔａｍ））は、吸熱器温度センサ４８が検出する吸熱器温度Ｔｅから同様に換算される電磁弁２１の冷媒出口側（後）の圧力と、吸込温度センサ５５が検出する吸込冷媒温度Ｔｓから同様に換算される電磁弁２１の冷媒出口側（後）の圧力と、外気温度センサ３３が検出する外気温度Ｔａｍから同様に換算される電磁弁２１の冷媒出口側（後）の圧力、のうち最も低い圧力を意味している。
【００９４】
吸熱器温度Ｔｅから換算される圧力を用いるのは、吸熱器９の冷媒出口側が電磁弁２１の冷媒出口側に連通しているからであり、吸込冷媒温度Ｔｓから換算される圧力を用いるのは、圧縮機２の吸込側が電磁弁２１の冷媒出口側に連通しているからである。また、外気温度Ｔａｍから換算される圧力を用いるのは、電磁弁２１の冷媒出口側である冷媒配管１３Ｄとの合流点より下流側の冷媒配管１３Ｃが外気に晒されているためである。尚、実施例の如く室外熱交換器圧力センサ５６や吸熱器圧力センサ４９、吸込圧力センサ４４が設けられている場合には、それらの検出値を直接用いて圧力差ΔＰｘｓを算出しても良い。
【００９５】
即ち、ヒートポンプコントローラ３２は電磁弁２１の冷媒入口側の圧力ｆ（ＴＸＯ）と、吸熱器温度Ｔｅから換算される圧力、吸込冷媒温度Ｔｓから換算される圧力（電磁弁２１の冷媒出口側における冷媒回路Ｒの複数箇所の圧力）、及び、外気温度Ｔａｍから換算される電磁弁２１の冷媒出口側の圧力のうちの最も低い圧力ｆ（ＭＩＮ（Ｔｅ、Ｔｓ、Ｔａｍ））との差の絶対値（ａｂｓ）として圧力差ΔＰｘｓを算出する。
【００９６】
そして、ヒートポンプコントローラ３２は係る圧力差ΔＰｘｓが所定値Ａより低くなった状態が第１の所定時間Ｔ１継続したか否かという第１の許可条件をステップＳ３で判断し、この第１の許可条件が成立していれば、ステップＳ３からステップＳ４に進み、暖房モードへの切換を許可して電磁弁２１を開放し、圧縮機２を起動して暖房モードを開始する。
【００９７】
（１１−３）第２の許可条件
一方、ステップＳ３で第１の許可条件が成立していない場合、ヒートポンプコントローラ３２はステップＳ６に進み、今度は外気温度センサ３３が検出する外気温度Ｔａｍが所定値Ｂ（例えば＋２０℃等）以上であるか否か判断する。そして、現在の外気温度Ｔａｍが所定値Ｂ以上であるときは、ステップＳ６からステップＳ７に進み、暖房モードへの切換を不許可とする。即ち、ヒートポンプコントローラ３２は暖房モードへの切換を許可せずに、冷媒回路Ｒの状態を現在の運転モードに維持する。そして、この場合は外気温度Ｔａｍが高いので、圧縮機２は起動せずに停止したままとし、室内送風機２７による送風のみとする。
【００９８】
ステップＳ６で外気温度Ｔａｍが所定値Ｂより低い場合、ヒートポンプコントローラ３２はステップＳ８に進み、ステップＳ２の圧縮機２を停止（圧力差縮小制御を開始）してからの経過時間が、第１の所定時間Ｔ１より十分長い第２の所定時間Ｔ２（例えば３０秒等。Ｔ２＞Ｔ１）より長く継続しているか否か判断する。尚、この外気温度Ｔａｍが所定値Ｂより低い状態が圧力差縮小制御を開始してから第２の所定時間Ｔ２継続したか否かが本発明における第２の許可条件となる。そして、ステップＳ８で第２の所定時間Ｔ２継続していなければステップＳ１０に進んで暖房モードへの切換を不許可とする。即ち、ヒートポンプコントローラ３２は暖房モードへの切換を許可せずに、冷媒回路Ｒの状態を現在の運転モードに維持し、圧縮機２を起動せずに停止したままとするが、このときは外気温度Ｔａｍは低いので、ステップＳ３で第１の許可条件が成立するか、ステップＳ８で第２の許可条件が成立するのを待って、ステップＳ４かステップＳ９で暖房モードへの切換を許可し、電磁弁２１を開放して圧縮機２を起動することになる。
【００９９】
他方、ステップＳ２の圧力差縮小制御を開始（圧縮機２を停止）してからステップＳ６で外気温度Ｔａｍが所定値Ｂより低い状態がステップＳ８で第２の所定時間Ｔ２より長く経過した場合、即ち、第２の許可条件が成立した場合、電磁弁２１前後の圧力差ΔＰｘｓが十分に低下したものと判断できる。そこで、ヒートポンプコントローラ３２は係る場合、ステップＳ９に進んで暖房モードへの切換を許可し、電磁弁２１を開放して圧縮機２を起動し、暖房モードを開始する。即ち、圧力差ΔＰｘｓに基づく前述した第１の許可条件が成立していない場合にも、外気温度Ｔａｍに基づく第２の許可条件が成立したときには、ヒートポンプコントローラ３２は暖房モードへの切換を許可することになる。
【０１００】
このように本発明では、ヒートポンプコントローラ３２が、暖房モード以外の電磁弁２１を閉じる運転モードから電磁弁２１を開く運転モードである暖房モードに切り換える際、電磁弁２１前後の圧力差ΔＰｘｓを縮小する所定の圧力差縮小制御を実行し、当該圧力差ΔＰｘｓが所定値Ａより低くなったことに基づく第１の許可条件が成立した場合、暖房モード（電磁弁２１を開く運転モード）への切り換えを許可するようにしたので、電磁弁２１を閉じる他の運転モードから暖房モード（電磁弁２１を開く運転モード）に切り換える際に、暖房用の電磁弁２１を開放したときに、圧縮機２の吸込側に向かって冷媒が急激に流れることを大幅に抑制又は解消することができる。
【０１０１】
また、外気温度Ｔａｍが低い状況では暖房用の電磁弁２１前後の圧力差ΔＰｘｓは小さくなる。そこで、本発明ではヒートポンプコントローラ３２が、第１の許可条件が成立していない場合にも、外気温度Ｔａｍが所定値Ｂより低いことに基づく第２の許可条件が成立したとき、暖房モード（電磁弁２１を開く運転モード）への切り換えを許可するようにしたので、第１の許可条件の成立を待たずに外気温度Ｔａｍの低下に基づいて暖房モード（電磁弁２１を開く運転モード）への切り換えを許可することができるようになる。これにより、例えば圧力差ΔＰｘｓの低下が極めて緩慢であり、圧力差ΔＰｘｓが殆ど所定値Ａ付近にあるのに第１の許可条件の成立が極めて遅くなるような状況では、外気温度Ｔａｍによって暖房モード（電磁弁２１を開く運転モード）への切り換えを支障無く行い、暖房モードへの切換が極めて遅くなって搭乗者が不快感を覚える不都合を防止することができるようになる。そして、これらにより他の運転モードから暖房モード（電磁弁２１を開く運転モード）への切り換えを支障無く行いながら、当該電磁弁２１を開放したときに生じる騒音を効果的に解消、若しくは、低減することができるようになる。
【０１０２】
このとき、実施例では第１の許可条件を、電磁弁２１前後の圧力差ΔＰｘｓが所定値Ａより低くなり、その状態が第１の所定時間Ｔ１継続したこととし、第２の許可条件を、圧力差縮小制御を開始（圧縮機２を停止）してから第１の所定時間Ｔ１より長い第２の所定時間Ｔ２、外気温度Ｔａｍが所定値Ｂより低い状態が継続したこととしているので、外気温度Ｔａｍの低下で電磁弁２１前後の圧力差ΔＰｘｓが十分低下してから適切に暖房モード（電磁弁２１を開く運転モード）に切り換えることが可能となる。
【０１０３】
更に、実施例の如く暖房用の電磁弁２１の冷媒入口側の圧力と比較する冷媒出口側の圧力点が複数存在する場合には、ヒートポンプコントローラ３２は暖房用の電磁弁２１の冷媒出口側における複数の箇所の圧力、及び、外気温度Ｔａｍから換算される電磁弁２１の冷媒出口側の圧力のうち、最も低い圧力に基づいて圧力差ΔＰｘｓを判断するようにしているので、暖房用の電磁弁２１を開放したときに生じる騒音を、より確実に解消、若しくは、低減することができるようになる。
【０１０４】
また、ヒートポンプコントローラ３２は圧力差縮小制御において、圧縮機２を停止するようにしたので、暖房用の電磁弁２１の冷媒入口側の圧力を迅速に下げて電磁弁２１前後の圧力差ΔＰｘｓを効果的に縮小させることができるようになる。
【０１０５】
（１１−４）圧力差縮小制御の他の例
尚、上記実施例のステップＳ２（図７）における圧力差縮小制御では、ヒートポンプコントローラ３２が圧縮機２を停止するようにしたが、それに限らず、圧縮機２の回転数ＮＣを低下させるようにしても、迅速に電磁弁２１の冷媒入口側の圧力を下げることが可能である。その場合は、前述したステップＳ４とステップＳ９においてヒートポンプコントローラ３２は、暖房モードへの切換を許可して電磁弁２１を開放し、圧縮機２の回転数ＮＣを上昇させて暖房モードを開始する。また、ステップＳ７とステップＳ１０では、ヒートポンプコントローラ３２は暖房モードへの切換を許可せずに、圧縮機２の回転数ＮＣを低下させて冷媒回路Ｒの状態を現在の運転モードに維持することになる。
【０１０６】
（１１−５）圧力差縮小制御のもう一つの他の例
また、前述した除湿暖房モードやＭＡＸ冷房モード（電磁弁２１を閉じる運転モード）から暖房モード（電磁弁２１を開く運転モード）に切り換える際には、上記実施例のステップＳ２（図７）における圧力差縮小制御で、上記各実施例の圧縮機２の停止や回転数低下に加えて、室外膨張弁６を開くようにしてもよい。室外膨張弁６を開くことによって、暖房用の電磁弁２１の冷媒入口側の圧力を迅速に下げることができるので、電磁弁２１前後の圧力差ΔＰｘｓを効果的に縮小させることができるようになる。
【０１０７】
（１１−６）圧力差縮小制御のもう一つの他の例
更に、上記実施例のステップＳ２（図７）における圧力差縮小制御で、圧縮機２を停止する等に加えて、室内送風機２７のブロワ電圧ＢＬＶを上げ、風量を上げて吸熱器９の通風量を増大させてもよい。室内送風機２７による吸熱器９の通風量を増大させれば、暖房用の電磁弁２１の冷媒出口側の圧力の上昇が促進される。
【０１０８】
この様子が図８に示されている。この図は横軸が時間、縦軸が温度（吸熱器温度Ｔｅ、吸込冷媒温度Ｔｓ、外気温度Ｔａｍ）を示している。また、吸熱器温度Ｔｅとして示した破線Ｌ１は室内送風機２７による通風量を増大させた場合、実線Ｌ２は係る制御を行わない場合をそれぞれ示している。
【０１０９】
この図からも明らかな如く、室内送風機２７による吸熱器９の通風量を増大させれば、吸熱器温度Ｔｅが迅速に上昇（Ｌ１）するため、前述した圧力ｆ（ＭＩＮ（Ｔｅ、Ｔｓ、Ｔａｍ））のうちのＴｅが迅速に低下することになる。これにより、電磁弁２１前後の圧力差ΔＰｘｓを効果的に縮小させることができるようになり、暖房モードへの切り換えに要する時間が短縮されることになる。また、室内送風機２７による通風量を増やせば電磁弁２１の開閉による騒音が気になり難くなる効果もある。
【実施例２】
【０１１０】
次に、図９は本発明を適用した他の実施例の車両用空気調和装置１の構成図を示している。尚、この図において図１と同一符号で示すものは同一若しくは同様の機能を奏するものである。この実施例の場合、過冷却部１６の出口は逆止弁１８に接続され、この逆止弁１８の出口が冷媒配管１３Ｂに接続されている。尚、逆止弁１８は冷媒配管１３Ｂ（室内膨張弁８）側が順方向とされている。
【０１１１】
また、放熱器４の冷媒出口側の冷媒配管１３Ｅは室外膨張弁６の手前で分岐しており、この分岐した冷媒配管（以下、第２のバイパス配管と称する）１３Ｆは電磁弁２２（除湿用の開閉弁）を介して逆止弁１８の下流側の冷媒配管１３Ｂに連通接続されている。更に、吸熱器９の冷媒出口側の冷媒配管１３Ｃには、内部熱交換器１９の冷媒下流側であって、冷媒配管１３Ｄとの合流点より冷媒上流側に蒸発圧力調整弁７０が接続されている。そして、これら電磁弁２２や蒸発圧力調整弁７０もヒートポンプコントローラ３２の出力に接続されている。尚、前述の実施例の図１中のバイパス配管３５、電磁弁３０及び電磁弁４０から成るバイパス装置４５は設けられていない。その他は図１と同様であるので説明を省略する。
【０１１２】
以上の構成で、この実施例の車両用空気調和装置１の動作を説明する。ヒートポンプコントローラ３２はこの実施例では、暖房モード、除湿暖房モード、内部サイクルモード、除湿冷房モード、冷房モード及び補助ヒータ単独モードの各運転モードを切り換えて実行する（ＭＡＸ冷房モードはこの実施例では存在しない）。尚、暖房モード、除湿冷房モード及び冷房モードが選択されたときの動作及び冷媒の流れと、補助ヒータ単独モードは前述の実施例（実施例１）の場合と同様であるので説明を省略する。但し、この実施例（実施例２）ではこれら暖房モード、除湿冷房モード及び冷房モードにおいては電磁弁２２を閉じるものとする。
【０１１３】
（１２）図９の車両用空気調和装置１の除湿暖房モード（この実施例では暖房用の電磁弁２１を開く運転モード）
他方、除湿暖房モードが選択された場合、この実施例（実施例２）ではヒートポンプコントローラ３２は電磁弁２１（暖房用）を開放し、電磁弁１７（冷房用）を閉じる。また、電磁弁２２（除湿用）を開放する。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【０１１４】
これにより、圧縮機２から吐出された高温高圧のガス冷媒は冷媒配管１３Ｇから放熱器４に流入する。放熱器４には暖房用熱交換通路３Ａに流入した空気流通路３内の空気が通風されるので、空気流通路３内の空気は放熱器４内の高温冷媒により加熱され、一方、放熱器４内の冷媒は空気に熱を奪われて冷却され、凝縮液化する。
【０１１５】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ、電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。
【０１１６】
また、放熱器４を経て冷媒配管１３Ｅを流れる凝縮冷媒の一部は分流され、電磁弁２２を経て第２のバイパス配管１３Ｆ及び冷媒配管１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１１７】
吸熱器９で蒸発した冷媒は、内部熱交換器１９、蒸発圧力調整弁７０を順次経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【０１１８】
空調コントローラ２０は、目標吹出温度ＴＡＯから算出される目標ヒータ温度ＴＣＯ（放熱器出口温度ＴＣＩの目標値）をヒートポンプコントローラ３２に送信する。ヒートポンプコントローラ３２は、この目標ヒータ温度ＴＣＯから目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。また、ヒートポンプコントローラ３２は、吸熱器温度センサ４８が検出する吸熱器９の温度Ｔｅと、空調コントローラ２０から送信された目標吸熱器温度ＴＥＯに基づいて室外膨張弁６の弁開度を制御する。また、ヒートポンプコントローラ３２は吸熱器温度センサ４８が検出する吸熱器９の温度Ｔｅに基づき、蒸発圧力調整弁７０を開（流路を拡大する）／閉（少許冷媒が流れる）して吸熱器９の温度が下がり過ぎて凍結する不都合を防止する。
【０１１９】
（１３）図９の車両用空気調和装置１の内部サイクルモード（この実施例での暖房用の電磁弁２１を閉じる運転モード）
また、内部サイクルモードでは、ヒートポンプコントローラ３２は上記除湿暖房モードの状態において室外膨張弁６を全閉とする（全閉位置）と共に、電磁弁２１を閉じる。この室外膨張弁６と電磁弁２１が閉じられることにより、室外熱交換器７への冷媒の流入、及び、室外熱交換器７からの冷媒の流出は阻止されることになるので、放熱器４を経て冷媒配管１３Ｅを流れる凝縮冷媒は電磁弁２２を経て第２のバイパス配管１３Ｆに全て流れるようになる。そして、第２のバイパス配管１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１２０】
吸熱器９で蒸発した冷媒は、内部熱交換器１９、蒸発圧力調整弁７０を順次経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより、車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房モードに比較すると除湿能力は高いが、暖房能力は低くなる。
【０１２１】
空調コントローラ２０は目標吹出温度ＴＡＯから算出される目標ヒータ温度ＴＣＯ（放熱器出口温度ＴＣＩの目標値）をヒートポンプコントローラ３２に送信する。ヒートポンプコントローラ３２は送信された目標ヒータ温度ＴＣＯから目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。
【０１２２】
（１４）暖房用の電磁弁２１を開く暖房モード又は除湿暖房モードへの切換許可判定制御
そして、この実施例においても電磁弁２１を閉じる内部サイクルモード、除湿冷房モード、又は、冷房モードから、電磁弁２１を開く暖房モード、又は、除湿暖房モードに切り換える際、ヒートポンプコントローラ３２は前述した実施例の（１１）、（１１−１）〜（１１−６）と同様の切換許可判定を行う。これにより、暖房モード、及び、除湿暖房モード以外の他の運転モード（電磁弁２１を閉じる運転モード）から暖房モード、又は、除湿暖房モード（電磁弁２１を開く運転モード）に切り換える際に、暖房用の電磁弁２１を開放したときに、圧縮機２の吸込側に向かって冷媒が急激に流れることを大幅に抑制又は解消し、更に、暖房モード及び除湿暖房モード（電磁弁２１を開く運転モード）への切換を適切に行うことができるようになる。
【０１２３】
そして、この実施例においても他の運転モードから暖房モード及び除湿暖房モード（電磁弁２１を開く運転モード）への切り換えを支障無く行いながら、当該電磁弁２１を開放したときに生じる騒音を効果的に解消、若しくは、低減することができるようになるものである。
【０１２４】
尚、各実施例で示した数値等はそれに限られるものでは無く、適用する装置に応じて適宜設定すべきものである。また、補助加熱装置は実施例で示した補助ヒータ２３に限られるものでは無く、ヒータで加熱された熱媒体を循環させて空気流通路３内の空気を加熱する熱媒体循環回路や、エンジンで加熱されたラジエター水を循環するヒータコア等を利用してもよい。
【符号の説明】
【０１２５】
１  車両用空気調和装置
２  圧縮機
３  空気流通路
４  放熱器
６  室外膨張弁
７  室外熱交換器
８  室内膨張弁
９  吸熱器
１１  制御装置
２０  空調コントローラ
２１  電磁弁（暖房用の開閉弁）
２３  補助ヒータ（補助加熱装置）
２７  室内送風機（ブロワファン）
２８  エアミックスダンパ
３２  ヒートポンプコントローラ
６５  車両通信バス
Ｒ  冷媒回路
【図１】
2018095099.tif 000003
【図２】
2018095099.tif 000004
【図３】
2018095099.tif 000005
【図４】
2018095099.tif 000006
【図５】
2018095099.tif 000007
【図６】
2018095099.tif 000008
【図７】
2018095099.tif 000009
【図８】
2018095099.tif 000010
【図９】
2018095099.tif 000011